(57)【要約】本開示は、上半身および下半身の不利またな異常な動きを制限する衣服のためのシステム、方法、および装置に関する。これは、弾性のある基層から衣服を形成し、次いで、１つまたは複数の弾性および／または非弾性バンドを連結することによって可能にされ、その１つまたは複数の弾性および／または非弾性バンドは、身体の不利な動きを制限する位置において、基礎材料に連結され、固着され、または基礎材料上にある。負荷分配リングは、バンドのうちのいくつかを留めることができる。
2015506420.tif 000002
【特許請求の範囲】
【請求項１】
前額面骨盤落下および大腿骨の内部回転に対抗するように構成された衣服であって、前記衣服は、
右脚部分および左脚部分を有する基層であって、前記基層は、第１の弾性を有する、基層と、
前記衣服の前腰部分に近接して配列され、前記第１の弾性よりも小さい第２の弾性を有する負荷分配リングと、
前記衣服の腰部分に近接して前記衣服に巻き付き、前記基層を覆って固着された側方弾性バンドであって、前記側方弾性バンドは、不連続的であり、２つの端部を有し、前記２つの端部は、前記負荷分配リングに連結され、前記側方弾性バンドは、第３の弾性を有する、側方弾性バンドと、
前記右脚部分上で前記負荷分配リングに連結され、前記負荷分配リングから離れてある角度で下方に延在している第１の斜方向弾性バンドと、
前記左脚部分上で前記負荷分配リングに連結され、前記負荷分配リングから離れてある角度で下方に延在している第２の斜方向弾性バンドと、
前記衣服の後腰部分に近接して前記側方弾性バンドの一部分に重複し、前記衣服の前部に近接して前記脚部分のそれぞれの底部分と交差する第１の非弾性バンドであって、前記第１の非弾性バンドは、前記第２の弾性を有する、第１の非弾性バンドと
を備える、衣服。
【請求項２】
前記第１の非弾性バンドと前記左脚部分の底部分との間に連結された第２の非弾性バンドと、
前記第１の非弾性バンドと前記右脚部分の底部分との間に連結された第３の非弾性バンドと
をさらに備える、請求項１に記載の衣服。
【請求項３】
前記第２の非弾性バンドは、前記第２の斜方向弾性バンドと平行であり、前記第３の非弾性バンドは、前記第３の斜方向弾性バンドと平行である、請求項２に記載の衣服。
【請求項４】
前記第１の弾性および第３の弾性は、同一である、請求項１に記載の衣服。
【請求項５】
前記第１の弾性は、前記第３の弾性よりも小さい、請求項１に記載の衣服。
【請求項６】
前記第１の非弾性バンドは、前記衣服を着用しているユーザの仙骨と下背部との間に配列されるように構成された、前記衣服上の点に近接して前記側方弾性バンドに重複する、請求項１に記載の衣服。
【請求項７】
前記第１の非弾性バンドは、前記左脚部分および右脚部分のそれぞれの前部まで、わずかならせん形で前記衣服の各側面を下って横断する、請求項５に記載の衣服。
【請求項８】
前記第１の非弾性バンドの形状および配置は、腰で前傾するユーザの傾向に対抗する、請求項１に記載の衣服。
【請求項９】
前記負荷分配リングは、五角形である、請求項１に記載の衣服。
【請求項１０】
前記負荷分配リングは、円盤形状を有する、請求項１に記載の衣服。
【請求項１１】
各脚部分の前記底部分は、各脚部分の底縁である、請求項１に記載の衣服。
【請求項１２】
前記基層は、第１の４方向伸張織物であり、
前記負荷分配リングおよび前記第１の非弾性バンドは、非伸張材料であり、
前記側方弾性バンド、前記第１の斜方向弾性バンド、および前記第２の斜方向弾性バンドは、第２の４方向伸張織物である、
請求項１に記載の衣服。
【請求項１３】
前記第１の４方向伸張織物および第２の４方向伸張織物は、同一である、請求項１２に記載の衣服。
【請求項１４】
衣服を製造する方法であって、前記方法は、
第１の弾性を有する第１の材料から基層を形成することと、
前記基層の上に複数の弾性バンドを連結することであって、前記複数の弾性バンドは、第２の弾性を有する第２の材料から作製されている、ことと、
前記基層の上に負荷分配リングを連結することであって、前記負荷分配リングは、前記複数の弾性バンドのうちの２つ以上の端部に連結され、前記非弾性負荷分配リングは、前記第１の弾性または第２の弾性のいずれか一方よりも弾性がない第３の弾性を有する第３の材料から作製されている、ことと、
前記複数の弾性バンドのうちの少なくともいくつかの複数部分を覆って非弾性バンドを連結し、前記基層の複数部分を覆って前記非弾性バンドを連結することであって、前記非弾性バンドは、前記第３の材料から作製され、前記非弾性バンドは、前記第１の材料および第２の材料が伸張されるときに伸張しない前記衣服の領域を提供する、ことと
を含む、方法。
【請求項１５】
前記第１の材料および第２の材料は、同一である、請求項１４に記載の方法。
【請求項１６】
不利な上半身の動きに対抗するように構成されたシャツであって、前記シャツは、
基層と、
前記基層の上に連結された複数の非弾性バンドと、
前記シャツの後部の中央の上に連結された負荷分配リングであって、前記負荷分配リングは、前記複数の非弾性バンドのうちの第１のバンド、第２のバンド、第３のバンド、および第４のバンドの端部を留める、負荷分配リングと
を備える、シャツ。
【請求項１７】
前記複数の非弾性バンドのうちの前記第１のバンドは、前記負荷分配リングを前記シャツの右肩に連結し、前記基層の上に連結され、前記複数の非弾性バンドのうちの前記第２のバンドは、前記負荷分配リングを前記シャツの左肩に連結し、前記基層の上に連結されている、請求項１６に記載のシャツ。
【請求項１８】
前記複数の非弾性バンドのうちの第３のバンドは、前記負荷分配リングを前記シャツの後部の底部分に連結し、前記複数の非弾性バンドのうちの第４のバンドは、前記負荷分配リングを前記シャツの前記後部の前記底部分に連結する、請求項１７に記載のシャツ。
【請求項１９】
前記複数の非弾性バンドのうちの第５のバンドは、前記シャツの首を前記複数の非弾性バンドのうちの前記第１のバンドに連結し、前記複数の非弾性バンドのうちの第６のバンドは、前記シャツの前記首を前記複数の非弾性バンドのうちの前記第２のバンドに連結する、請求項１８に記載のシャツ。
【請求項２０】
前記複数の非弾性バンドのうちの第７のバンドは、前記複数の非弾性バンドのうちの前記第７のバンドの第１の端部を介して前記肩に連結し、前記複数の非弾性バンドのうちの前記第７のバンドの第２の端部を介して前記複数の非弾性バンドのうちの第８のバンドに連結する、請求項１６に記載のシャツ。
【請求項２１】
前記複数の非弾性バンドのうちの前記第７のバンドおよび第８のバンドは、ある角度で相互に連結する、請求項２０に記載のシャツ。
【請求項２２】
前記負荷分配リングは、円盤形状を有する、請求項１６に記載のシャツ。
【請求項２３】
シャツを製造する方法であって、前記方法は、
第１の弾性を有する基層を形成することと、
前記基層を覆って複数の非弾性バンドを固着することであって、前記複数の非弾性バンドは、前記第１の弾性よりも小さい第２の弾性を有する、ことと、
前記基層を覆って、負荷分配リングを前記複数の非弾性バンドのうちの少なくとも２つに固着することであって、前記負荷分配リングは、前記複数の非弾性バンドのうちの前記少なくとも２つを前記シャツの後部の実質的に中央に留め、前記負荷分配リングは、前記第２の弾性を有する、ことと
を含む、方法。
【請求項２４】
ワンピース衣服であって、前記ワンピース衣服は、
上半身部分であって、前記上半身部分は、
第１の基層と、
前記第１の基層の上に連結された複数の非弾性バンドと、
前記上半身部分の背部の中央の上に連結された第１の負荷分配リングであって、前記第１の負荷分配リングは、前記複数の非弾性バンドのうちの第１のバンド、第２のバンド、第３のバンド、および第４のバンドの端部を留める、第１の負荷分配リングと
を備える、上半身部分と、
下半身部分であって、前記下半身部分は、
右脚部分および左脚部分を有する第２の基層であって、前記第２の基層は、第１の弾性を有する、第２の基層と、
前記下半身部分の前腰部分に近接して配列され、前記第１の弾性よりも小さい第２の弾性を有する第２の負荷分配リングと、
前記下半身部分の前記腰部分に近接して前記下半身部分に巻き付き、前記第２の基層を覆って固着された側方弾性バンドであって、前記側方弾性バンドは、不連続的であり、２つの端部を有し、前記２つの端部は、前記第２の負荷分配リングに連結され、前記側方弾性バンドは、第３の弾性を有する、側方弾性バンドと、
前記右脚部分上で前記第２の負荷分配リングに連結され、前記第２の負荷分配リングから離れてある角度で下方に延在している第１の斜方向弾性バンドと、
前記左脚部分上で前記第２の負荷分配リングに連結され、前記第２の負荷分配リングから離れてある角度で下方に延在している第２の斜方向弾性バンドと、
前記下半身部分の後腰部分に近接して前記側方弾性バンドの一部分に重複し、前記下半身部分の前部に近接して前記脚部分のそれぞれの底部分と交差する第１の非弾性バンドであって、前記第１の非弾性バンドは、前記第２の弾性を有する、第１の非弾性バンドと
を備える、下半身部分と
を備える、ワンピース衣服。
【請求項２５】
前記第１の基層および第２の基層は、同一の材料である、請求項２４に記載のワンピース衣服。
【請求項２６】
前記上半身部分および前記下半身部分は、前記腰部分での縫製を介して連結されている、請求項２４に記載のワンピース衣服。
【請求項２７】
前記上半身部分および前記下半身部分は、同一の基層から形成されている、請求項２４に記載のワンピース衣服。
【請求項２８】
前記上半身部分は、第１の接続メカニズムを含み、前記下半身部分は、第２の接続メカニズムを含み、前記第１の接続メカニズムおよび第２の接続メカニズムは、相互に連結し、したがって、前記上半身部分を前記下半身部分に一時的に固着する、請求項２４に記載のワンピース衣服。
【発明の詳細な説明】
【技術分野】
【０００１】
（優先権の主張）
本特許出願は、本願の譲受人に譲渡された米国仮特許出願第６１／５８２，０４２号（２０１１年１２月３０日出願、名称「ＳＨＩＲＴＳ  ＡＮＤ  ＳＨＯＲＴＳ  ＨＡＶＩＮＧ  ＥＬＡＳＴＩＣ  ＡＮＤ  ＮＯＮ−ＳＴＲＥＴＣＨ  ＰＯＲＴＩＯＮＳ  ＡＮＤ  ＢＡＮＤＳ  ＴＯ  ＰＲＯＶＩＤＥ  ＨＩＰ  ＡＮＤ  ＰＯＳＴＵＲＥ  ＳＵＰＰＯＲＴ」）に基づく優先権を主張し、これによって、本明細書中に参照によって援用される。
【０００２】
（発明の分野）
本開示は、概して、負傷予防および回復に関する。限定としてではないが、具体的には、本開示は、筋肉の衰弱、疲労、または負傷を予防し、または補うように、静的身体整合および動的身体整合を支援する衣服のためのシステム、方法、および装置に関する。
【背景技術】
【０００３】
（背景）
ランニングというスポーツは、人気のあるフィットネス活動であり、推定３千万人の米国人が趣味のランナーとして分類されている（Ａｕｓｔｉｎ，２００２）。訓練日またはレースあたり５ｋｍ以上走るランナーにおける下肢負傷の全体発生率は、１９．４％から７９．３％の間に及ぶことが分かっている（ｖａｎ  Ｇｅｎｔら，２００７）。主要な負傷した関節は、膝（７．２％から５０．０％）であり、その後に足首（３．９％から１６．６％）および股関節（３．３％から１１．５％）が続く。使い過ぎによる負傷が、訓練の誤り、解剖学的要因または生物力学的要因から生じる全ての筋骨格のランニングによる負傷の大部分である（Ｈｒｅｌｊａｃら，２０００、Ｊａｍｅｓら，１９７８、Ｍａｃｅｒａら，１９８９）。
【０００４】
体幹の安定性は、腰骨盤の股関節筋肉強度および耐久性として定義され、筋肉の協調的活性化および運動連鎖全体を通じた整合の維持をもたらす（Ｆｒｅｄｅｒｉｃｓｏｎら（２００５）、Ｋｉｂｌｅｒら（２００６）、Ｌｅｅｔｕｎら（２００４）、Ｗｉｌｌｓｏｎら（２００５））。ランニングの立脚期は、上半身の重量の平衡を保って支持するために近位安定性を必要とする、閉鎖運動連鎖である。強度および／または耐久性の欠損により、体幹の不安定性が存在するとき、身体は、大きい地面反力を吸収および生成するように最適に整合させられない場合があり、これはひいては、ランナーを下肢負傷増加の危険にさらし得る（Ｆｅｒｂｅｒら，２００２、Ｍａｒｔｉら，１９８８）。前額面骨盤落下は、ランニング運動連鎖における弱連結として識別することができる、体幹の不安定性の１つの兆候である。「トレンデレンブルグ歩行」と称される、前額面における骨盤落下は、その遊脚期中に立脚の股関節から反対の股関節に向かった下向きの傾斜があるときに可視化される。
【０００５】
前額面骨盤落下によって実証される体幹の不安定性は、中臀筋の強度および耐久性の問題によるものである（Ｍａｎｎら，１９８６）。中臀筋は、最も強い下肢筋肉のうちの１つであり（Ｗａｒｄ，Ｅｎｇ，Ｓｍａｌｌｗｏｏｄ，＆  Ｌｉｅｂｅｒ，２００９）、３つの明確に異なる筋線維方向および別個の神経支配を有するほぼ等しい体積の３つの部分から構成される（Ｄｏｓｔａｌ，Ｓｏｄｅｒｂｅｒｇ，＆  Ａｎｄｒｅｗｓ，１９８６、Ｇｏｔｔｓｃｈａｌｋ，Ｋｏｕｒｏｓｈ，＆  Ｌｅｖｅａｕ，１９８９）。この筋肉は、腸骨稜の下方の背側腸骨上を起点とし、大転子の上外面で付着する。その解剖学的位置、断面積、および構造に基づいて、中臀筋は、下背部（Ｎｅｌｓｏｎ−Ｗｏｎｇ，Ｇｒｅｇｏｒｙ，Ｗｉｎｔｅｒ，＆  Ｃａｌｌａｇｈａｎ，２００８）、股関節（Ｂｏｌｇｌａ  ＆  Ｕｈｌ，２００５、Ｄｅｌｐら，１９９９）、膝（Ｂｏｌｉｎｇ，Ｂｏｌｇｌａ，Ｍａｔｔａｃｏｌａ，Ｕｈｌ，＆  Ｈｏｓｅｙ，２００６、Ｍａｓｃａｌ，Ｌａｎｄｅｌ，＆  Ｐｏｗｅｒｓ，２００３、Ｎａｋａｇａｗａら，２００８）、および足首の機能に絶対不可欠である。したがって、中臀筋衰弱による体幹の不安定性は、ランニング中の異常な脊柱運動および下肢運動につながる。
【０００６】
ランニング中の衰弱または疲労した中臀筋による歩行適応、および構造過負荷の危険性がある解剖学的領域が、表１で要約される（Ｂｏｌｇｌａ  ＆  Ｕｈｌ，２００５、Ｂｏｌｉｎｇ，Ｂｏｌｇｌａ，Ｍａｔｔａｃｏｌａ，Ｕｈｌ，＆  Ｈｏｓｅｙ，２００６、Ｃｉｃｈａｎｏｗｓｋｉら，２００７、Ｆｒｅｄｅｒｉｃｓｏｎら，２０００、Ｉｒｅｌａｎｄら，２００３、Ｌｅｅｔｕｎら，２００４、Ｍａｓｃａｌ，Ｌａｎｄｅｌ，＆  Ｐｏｗｅｒｓ，２００３、Ｎａｋａｇａｗａら，２００８、Ｎｅｌｓｏｎ−Ｗｏｎｇ，Ｇｒｅｇｏｒｙ，Ｗｉｎｔｅｒ，＆  Ｃａｌｌａｇｈａｎ，２００８、Ｎｉｅｍｕｔｈら，２００５、Ｐｒｅｓｓｗｏｏｄら，２００８、Ｒｅｉｍａｎら，２００９、Ｓｏｕｚａら，２００９）。個々のランニング技法が、以下で適応の組み合わせを実証し得るが、同時内側および外側膝ドリフトを明確に実証しない場合がある。さらに、歩行適応はまた、よたよた歩きまたは足を引きずることとして可視化されて、歩行中に起こり得る。
【０００７】
表１は、ランニング中の衰弱中臀筋による歩行適応を示す。
【０００８】
【表１】
2015506420.tif 000003
長距離ランニングによって引き起こされる、最も一般的に診断されている下肢軟組織負傷は、腸脛靱帯症候群、脛骨過労性症候群、膝蓋大腿骨痛症候群、アキレス腱炎、および足裏筋膜炎である（Ｙｅｕｎｇ  ＆  Ｙｅｕｎｇ  ２００１）。上記の表から、ランニングの立脚期中の中臀筋の衰弱からの一般的な適応は、大腿骨が過剰に内転するか、または内部に回転するときに起こる。これらの運動は、腸脛靱帯への張力を増加させ（Ｔａｕｎｔｏｎら，２００２）、異常な膝蓋大腿骨接触応力を引き起こす（Ｓｏｕｚａ  ＆  Ｐｏｗｅｒｓ，２００９）。運動連鎖を下方に続けて、大腿骨の内部回転はまた、膝が外反位に入ることも可能にし、足に対して脛骨が内向きに回転することを助長し、足の内側面への重量転移を増加させる。これらの運動は、脛骨過労性症候群およびアキレス腱炎等の足の過剰かつ／または長期の回内に関係する任意の状態の危険性を増加させる（Ｌｕｎｄｂｅｒｇら，１９８９）。さらに、足首回内および膝外反の複合運動は、ランニングが不可欠な構成要素であるスポーツでの非接触ＡＣＬ負傷の主要なメカニズムとして関与する（Ｓｏｕｚａ  ＆  Ｐｏｗｅｒｓ，２００９）。
【０００９】
加えて、異常な矢状面または前額面骨盤回転による腰骨盤姿勢不良は、胸髄姿勢および後続の肩の異常運動を補うことにつながる（Ｂｏｒｓｔａｄ，２００６、Ｇｒｅｅｎｆｉｅｌｄら，１９９５）。胸部姿勢不良は、脊椎の胸部領域の増加した前方湾曲（脊柱後弯症）に関し、「かがみ込む」または「円背」外観および肩が丸くなることを生じさせる。上背部および肩が丸くなることは、頭部および頸部を下向きに傾け、したがって、真っ直ぐ前を見ることは、頭部が上向きおよび前向きに持ち上げられることを要求する。この頭部前方姿勢は、いくつかの臨床症状を引き起こし、また、頭痛、肩甲骨間の痛み、上背部痛、頸部痛、指のしびれおよびうずき、および肩の痛みを含む、多くの臨床問題の継続も引き起こす。肩が起源である痛みはまた、頸部、頭部、および胸部にも放射状に広がる。
【００１０】
呼吸器疾患もまた、肩甲骨、鎖骨、および上腕骨の一連の異常運動事象である、肩が過剰に丸くなることから引き起こされる。第１に、胸椎後弯は、肩甲骨の前突、下向きの回転、および前方への傾きを含む異常な３次元肩甲骨運動を引き起こす。上腕骨は、関節窩上腕関節において肩甲骨と関節結合を成し、異常な肩甲骨運動は、上腕骨を下に偏移させ、身体の中心に向かって内向きに回転させる。肩甲骨はまた、肩鎖関節において鎖骨と関節結合を成し、したがって、異常な肩甲骨および上腕骨運動は、異常な鎖骨運動、すなわち、鎖骨の前突を引き起こし、胸鎖関節における第１肋骨上の鎖骨の近位部分の力伝達を増加させる。胸椎後弯と組み合わせた、この関節における増加した力伝達は、呼吸中に拡張する肋骨および適正に機能する呼吸筋の能力を制限し、したがって、肺容量および血液酸素化を低減させる。
【００１１】
集合的に、中臀筋の衰弱から生じる体幹の強度の不均衡は、個人の負傷と関連付けられ、または個人を負傷しやすくし得る。ランニング中の膝のための成功した予防策は、訓練スケジュールまたは外部身体支持（すなわち、膝蓋ブレース、履物、腰椎ブレース）を変更することを含む（Ｙｅｕｎｇ  ＆  Ｙｅｕｎｇ，２００９）。しかしながら、中臀筋強化エクササイズは、前額面骨盤落下の規模を低減させ（Ｐｒｅｓｓｗｏｏｄら，２００８）、性能を向上させ（Ｌｅｐｈａｒｔら，２００７）、股関節（Ｂｏｌｇｌａ  ＆  Ｕｈｌ，２００５）、膝（Ｂｏｌｉｎｇ，Ｂｏｌｇｌａ，Ｍａｔｔａｃｏｌａ，Ｕｈｌ，＆  Ｈｏｓｅｙ，２００６、Ｍａｓｃａｌ，Ｌａｎｄｅｌ，＆  Ｐｏｗｅｒｓ，２００３、Ｎａｋａｇａｗａら，２００８）、および腰部（Ｎｅｌｓｏｎ−Ｗｏｎｇ，Ｇｒｅｇｏｒｙ，Ｗｉｎｔｅｒ，＆  Ｃａｌｌａｇｈａｎ，２００８）の軟組織における臨床症状を低減させることが示されている。さらに、腰部の強度および運動学的向上は、胸部の向上に関係し、肩および呼吸機能の有益な変化につながる。
【００１２】
上記の課題のうちのいくつかを軽減することができる種々のブレースが公知である。しかしながら、ブレースは、特に長期間（例えば、スキー場で１日中）にわたって着用されるときに、不快で重く、美的に不愉快となる傾向がある。結果として、ブレースは、多くの場合、可能な限り長く着用されず、したがって、それらの有益な効果が完全には感じられない。さらに、ブレースは、筋肉衰弱または負傷によって引き起こされる関節の安定性または角度位置の変化を固定化または補うために使用され、二次臨床問題につながる、関節を包囲する筋肉の萎縮を助長すると考えられる。したがって、当技術分野では、軽量、快適、かつファッション性があり、機能的な動きおよび運動連鎖の筋機能の手助けをする生理学的支持メカニズムの必要性がある。
【発明の概要】
【課題を解決するための手段】
【００１３】
（発明の概要）
図面で示される本発明の例示的実施形態が、以下で要約される。これらおよび他の実施形態は、詳細な説明の節でより完全に説明される。しかしながら、本発明をこの発明の概要または詳細な説明で説明される形態に限定する意図がないことを理解されたい。当業者であれば、特許請求の範囲で表されるような本発明の精神および範囲内に入る多数の修正、同等物、および代替的な構造があることを認識できる。
【００１４】
身体上に特定の方向で外部張力を提供し、それによって、中臀筋等の種々の筋肉の解剖学的機能を再現するように、異なるレベルの弾性（伸張性）を有する複数の材料から作製された衣服のためのシステムおよび方法が本明細書で開示される。本衣服は、上層として、他の衣服のための下層または裏地として、または訓練／リハビリテーション用具として、別々に、または一緒に着用されることができる。
【００１５】
本発明の一側面は、前額面骨盤落下および大腿骨の内部回転に対抗するように構成された衣服として特徴付けられることができる。衣服は、基層と、負荷分配リングと、側方弾性バンドと、第１の斜方向弾性バンドと、第２の斜方向弾性バンドと、第１の非弾性バンドとを含むことができる。基層は、右脚部分および左脚部分を有することができ、基層は、第１の弾性を有する。負荷分配リングは、衣服の前腰部分に近接して配列されることができ、第１の弾性より小さい第２の弾性を有する。側方弾性バンドは、衣服の腰部分に近接して衣服に巻き付き、基層を覆って固着されることができる。側方弾性バンドは、不連続的であり、２つの端部を有することができ、２つの端部は、負荷分配リングに連結することができ、側方弾性バンドは、第３の弾性を有することができる。第１の斜方向弾性バンドは、右脚部分上で負荷分配リングに連結し、負荷分配リングから離れてある角度で下方に延在することができる。第２の斜方向弾性バンドは、左脚部分上で負荷分配リングに連結し、負荷分配リングから離れてある角度で下方に延在することができる。第１の非弾性バンドは、衣服の後腰部分に近接して側方弾性バンドの一部分に重複することができる。第１の非弾性バンドはさらに、衣服の前部に近接して脚部分のそれぞれの底部分と交差することができる。第１の非弾性バンドは、第２の弾性を有することができる。
【００１６】
本開示の別の側面は、衣服を製造する方法として説明され得る。本方法は、第１の弾性を有する第１の材料から基層を形成することを含むことができる。本方法はまた、基層の上に複数の弾性バンドを連結することであって、複数の弾性バンドは、第２の弾性を有する第２の材料から作製される、ことを含むこともできる。本方法はさらに、基層の上に負荷分配リングを連結することを含むことができる。負荷分配リングは、複数の弾性バンドのうちの２つ以上の端部に連結されることができる。非弾性負荷分配リングは、第１の弾性または第２の弾性のいずれか一方よりも弾性がない第３の弾性を有する第３の材料から作製されることができる。本方法はさらに、複数の弾性バンドのうちの少なくともいくつかの複数部分を覆って非弾性バンドを連結し、基層の複数部分を覆って非弾性バンドを連結することを含むことができる。非弾性バンドは、第３の材料から作製されることができる。非弾性バンドは、第１の材料および第２の材料が伸張されるときに伸張しない衣服の領域を提供することができる。
【００１７】
本開示の別の側面は、不利な上半身の動きに対抗するように構成されたシャツとして説明され得る。シャツは、基層と、基層に連結された複数の非弾性バンドと、シャツの後部の中央の上に連結された負荷分配リングとを含むことができる。負荷分配リングは、複数の非弾性バンドのうちの第１のバンド、第２のバンド、第３のバンド、および第４のバンドの端部を留めることができる。
【００１８】
本開示のさらに別の側面は、シャツを製造する方法として説明され得る。本方法は、第１の弾性を有する基層を形成することを含むことができる。本方法はさらに、基層を覆って複数の非弾性バンドを固着することであって、複数の非弾性バンドは、第１の弾性より小さい第２の弾性を有する、ことを含むことができる。本方法はさらに、基層を覆って負荷分配リングを固着し、負荷分配リングを複数の非弾性バンドのうちの少なくとも２つに固着することを含むことができる。負荷分配リングは、複数の非弾性バンドのうちの少なくとも２つをシャツの後部の実質的に中央に留めることができる。負荷分配リングは、第２の弾性を有することができる。
【００１９】
本開示のさらなる側面は、上半身部分と、下半身部分とを含むワンピース衣服として説明され得る。上半身部分は、第１の基層と、第１の基層の上に連結された複数の非弾性バンドと、上半身部分の背部の中央の上に連結された第１の負荷分配リングであって、複数の非弾性バンドのうちの第１のバンド、第２のバンド、第３のバンド、および第４のバンドの端部を留める第１の負荷分配リングとを含むことができる。負荷分配リングは、複数の非弾性バンドのうちの第１のバンド、第２のバンド、第３のバンド、および第４のバンドの端部を留めることができる。下半身部分は、第２の基層と、第２の負荷分配リングと、側方弾性バンドと、第１の斜方向弾性バンドと、第２の斜方向弾性バンドと、第１の非弾性バンドとを含むことができる。第２の基層は、右脚部分および左脚部分を有することができ、第２の基層は、第１の弾性を有することができる。第２の負荷分配リングは、下半身部分の前腰部分に近接して配列されることができ、第１の弾性よりも小さい第２の弾性を有することができる。側方弾性バンドは、下半身部分の腰部分に近接して下半身部分に巻き付くことができ、第２の基層を覆って固着されることができる。側方弾性バンドは、不連続的であり、２つの端部を有することができ、２つの端部は、第２の負荷分配リングに連結することができ、側方弾性バンドは、第３の弾性を有することができる。第１の斜方向弾性バンドは、右脚部分上で第２の負荷分配リングに連結し、第２の負荷分配リングから離れてある角度で下方に延在することができる。第２の斜方向弾性バンドは、左脚部分上で第２の負荷分配リングに連結し、第２の負荷分配リングから離れてある角度で下方に延在することができる。第１の非弾性バンドは、下半身部分の後腰部分に近接して側方弾性バンドの一部分に重複することができる。第１の非弾性バンドはさらに、下半身部分の前部に近接して脚部分のそれぞれの底部分と交差することができる。第１の非弾性バンドは、第２の弾性を有することができる。
【００２０】
本発明の種々の目的および利点、ならびにより完全な理解は、添付図面と併せて解釈されるときに、以下の詳細な説明および添付の特許請求の範囲を参照することによって、明白であり、より容易に理解される。
【図面の簡単な説明】
【００２１】
【図１Ａ】図１Ａは、本開示の一実施形態による、シャツの前部を図示する。
【図１Ｂ】図１Ｂは、図１Ａのシャツの後部を図示する。本開示の一実施形態による、シャツの前部および後部を図示する。
【図２】図２は、図１で図示されるシャツの側面図を図示する。
【図３Ａ】図３Ａは、本開示の別の実施形態による、シャツの前部を図示する。
【図３Ｂ】図３Ｂは、図３Ａのシャツの後部を図示する。
【図４】図４は、本開示の一実施形態による、ショーツの形態の衣服の後部を図示する。
【図５】図５は、図４の衣服の前部を図示する。
【図６】図６は、図４の衣服の側面を図示する。
【図７】図７は、本開示の別の実施形態による、ショーツの形態の衣服の側面図を図示する。
【図８Ａ】図８Ａは、ショーツの形態の衣服に連結されるように構成された、シャツの形態の衣服の背面図を図示する。
【図８Ｂ】図８Ｂは、図８Ａのシャツが連結するように構成された、ショーツの形態の衣服の背面図を図示する。
【図９】図９は、本開示の一実施形態による、ショーツの正面図を図示する。
【図１０】図１０は、図９のショーツの背面図を図示する。
【図１１】図１１は、図９のショーツの側面図を図示する。
【図１２】図１２は、本開示の一実施形態による、シャツの正面図を図示する。
【図１３】図１３は、図１２のシャツの背面図を図示する。
【発明を実施するための形態】
【００２２】
（詳細な説明）
本開示は、概して、負傷予防および回復に関する。限定としてではないが、具体的には、本開示は、衰弱筋肉または負傷筋肉を補い、手助けをし、または訓練する衣類のためのシステム、方法、および装置に関する。
【００２３】
「例示的」という言葉は、「実施例、事例、または例証の機能を果たすこと」を意味するために本明細書で使用される。本明細書で「例示的」と表される任意の実施形態は、必ずしも他の実施形態と比べて好ましいまたは有利と解釈されるものではない。
【００２４】
複数の材料および外部張力の方向を組み込む本発明の実施形態は、身体にぴったり合う。これらの実施形態は、外観が類似し得るが、単一の円周方向圧搾力を身体に提供するのみであり得る圧迫衣服と混同されるものではない。Ｕｎｉｖｅｒｓｉｔｙ  ｏｆ  ＤｅｎｖｅｒのＨｕｍａｎ  Ｄｙｎａｍｉｃｓ  Ｌａｂｏｒａｔｏｒｙでの科学的検査は、図９〜図１１のうちの１つ以上で図示された本発明の実施形態が、体幹の安定性ならびに動的着地平衡を助長することにおいて、当技術分野で公知であり、類似寸法を有する比較衣類より優れていた（９５％の確率）ことを実証している。動的着地平衡は、体幹の安定性増進の具体的な機能効果である。
【００２５】
中臀筋は、下肢全体を上肢全体と結び付け、筋肉、骨格、および呼吸器系の機能に影響を及ぼす。したがって、ランニングおよび／または上肢の姿勢支持で増強される日常生活の活動中に中臀筋に提供される外部支持は、広範囲の予防および／またはリハビリテーションの意味合いとともに、動的姿勢および静的姿勢を増進するという全体的効果を有する。
【００２６】
図１Ａは、本開示の一実施形態によるシャツの前部を図示し、図１Ｂは、本開示の一実施形態によるシャツの後部を図示する。図２は、シャツの前部および後部の左半分を示す、ャツの側面図を図示する。具体的には、シャツは、２種類の材料（または織物）を含み、１つの材料は、シャツのほとんど（またはシャツの全体層）を構成する４方向伸張材料であり、第２の材料は、非伸張材料である。非伸張材料は、４方向伸張材料よりも弾性がない材料である。非伸張材料は、シャツの首１０６から、第１のバンド１１２が第２のバンド１１０と接続する非伸張材料の前角１１４に向かって、下方に第１のバンド１１２内に延在する。第２のバンド１１０は、肩１０４の前部から前角１１４まで延在する。第２のバンド１１０は、後部まで肩１０４を越えない。むしろ、第４のバンド１１１が、肩１０４の後部から非伸張材料の後角１１８まで下方に延在する。第３のバンド１１６は、首１０６から後角１１８まで下方に延在し、そこで第４のバンド１１１と接続する。後部はまた、後負荷分配リング１２０も含み、後負荷分配リング１２０は、第１の交差接続バンド１２１を介して第３のバンド１１６に接続され、第２の交差接続バンド１２２を介してシャツの胴部の側面および下部分に接続される。
【００２７】
種々のバンドが別々に説明されているが、第１のバンドおよび第２のバンド１１２、１１０は、いくつかの実施形態では、材料の単一の連続片であり得、第３のバンド１１６、第４のバンド１１１、および第１の交差接続バンド１２１は、材料の単一の連続片であり得ることに留意されたい。第２の交差接続バンド１２２もまた、この同一の材料の単一の連続片の一部であり得る。別の実施形態では、負荷分配リング１２０もまた、この材料の単一の連続片の一部であり得る。代替として、負荷分配リング１２０は、バンドが交差、接続、または重複する場合に、１つ以上のバンドが接続する材料、またはバンドに取り付けられる材料とは別個の片であり得る。例えば、バンドは、負荷分配リング１２０の外周縁または円周に接続することができる。負荷分配リング１２０はまた、種々の形状または形状の構成のうちのいずれかを成すことができ、円形に限定されない。例えば、負荷分配リング１２０は、２つの重複形状の構成であり得、そのそれぞれが八角形の形状を成すことができる。
【００２８】
バンドの幅は特定の値を有さないが、第２のバンドおよび第４のバンド１１０、１１１がテーパ状であり、角１１４、１１８の付近でより幅広く、肩１０４の上部に向かってより狭いことが望ましくあり得る。第２のバンドおよび第４のバンド１１０、１１１は、肩鎖関節において肩の先端に隣接して配列されることができる。換言すると、想像上の線が、身体の前額面と垂直に、肩鎖関節において肩の先端を通過した場合、想像上の線は、肩１０４の上部付近でバンド１１０、１１１のテーパ状端を通過する。いくつかの実施形態では、バンド１１０、１１１のテーパ状端は、肩鎖関節において肩の先端を通過する想像上の線から最大５００ｍｍだけオフセットされることができる。
【００２９】
負荷分配リング１２０は、その中心が、頸部の底部と背部の中央との間で解剖学的に位置する胸椎棘突起のうちのいずれかを覆って垂直に位置決めされた状態で、後部上で中央に配列されることができる。図１および図３は、第６胸椎付近で棘突起を覆って中心に置かれる負荷分配リング１２０を描写する。
【００３０】
４方向伸張材料と組み合わせた非伸張バンドは、ユーザの上背部および肩の筋機能を模倣するように構成された力を生成し、したがって、適正な姿勢を支援する。具体的には、第３のバンドおよび第４のバンド１１６、１１１と併せた第１のバンドおよび第２のバンド１１２、１１０は、肩１０４の上部を横切って４方向伸張織物を引っ張り、肩を「捕捉する」ように機能する。交差接続バンド１２１、１２２および負荷分配リング１２０は、「捕捉された」肩に後方への力を加え、鎖骨および肩甲骨の後退を生成する。この後方への力は、交差接続バンド１２１を通して斜めに向けられ、負荷分配リング１２０を介して下交差接続バンド１２２へ方向を変えられ、肩甲骨に圧縮力を印加して、肩甲骨の外部回転、肩甲骨の上方回転、および肩甲骨の後方への傾きを生成する。
【００３１】
非伸張材料は、４方向伸張材料より小さい弾性を有する任意の材料を含むことができるが、好ましい実施形態では、それは、弾性または伸張性がない、あるいは実質的にない材料を含む。非伸張材料は、人為的な力の下に置かれたときに拡張しない織物または他の材料であり得る。４方向伸張材料は、人為的な力の下に置かれたときに弾性的に拡張する織物または他の材料である。
【００３２】
図２は、図１で図示されるシャツの側面図を図示する。第１のバンド１１２は、首１０６から前角１１４まで下方に延在することが分かり、そこで、肩１０４の前部から下方に延在する第２のバンド１１０に接続する。第３のバンド１１６もまた、首１０６から後角１１８まで下方に延在し、そこで、肩１０４の後部から下方に延在する第４のバンド１１１に接続する。図で見られるように、第２のバンドおよび第４のバンド１１０、１１１は、交わらないが、肩１０４の上部に間隙を残す。
【００３３】
角１１４、１１８は、関節窩上腕関節と、または実質的に関節窩上腕関節と整合されることができる。換言すると、肩甲骨−腕関節を通過し、身体の前額面と垂直な想像上の線が、前角１１４および後角１１８を通過する。
【００３４】
簡単にするために、シャツの後部の他の部分（例えば、負荷分配リング）は図示されていない。
【００３５】
図３Ａは、本開示の別の実施形態による、シャツの前部を図示し、図３Ｂは、本開示の別の実施形態による、シャツの後部を図示する。シャツは再度、首３０６から前角３１４まで延在する第１のバンド３１２を含み、第１のバンド３１２は、肩３０４の前部から前角３１４まで延在する第２のバンド３１０と交差する。シャツの後部もまた、首３０６から後角３１８まで延在する第３のバンド３１６を有し、後角３１８において、第４の非伸張バンド３１１に接続する。第４の非伸張バンド３１１は、肩３０４の後部から後角３１８まで延在する。後負荷分配リング３２０は、第１の交差接続バンド３２１を介して第３の非伸張バンド３１６に接続する。後負荷分配リング３２０はまた、第２の交差接続バンド３２２に接続する。第２の交差接続バンドは、後負荷分配リング３２０から下方に延在し、シャツの前部まで胴部に巻き付き、シャツの前部において、シャツの前底部に接続する。
【００３６】
いくつかの実施形態では、本明細書で説明される種々のバンドは、より長い連続バンドに組み合わせられることができる。例えば、第３のバンド３１１、第４のバンド３１６、および第１の交差接続バンド３２１は、単一の連続バンドであり得る。このバンドは、さらに、後負荷分配リング３２０の下を横断し、または後負荷分配リング３２０を通って横断し、胴部に巻き付き、シャツの前底部に接続してもよい。代替として、シャツの後部上の全てのバンドを統一することができる。
【００３７】
実施形態では、負荷分配リング３２０は、バンドが交差、接続、または重複する場合に、１つ以上のバンドが接続する材料、またはバンドに取り付けられる材料とは別個の片であり得る。例えば、バンドは、負荷分配リング３２０の外周縁または円周に接続することができる。別の実施形態では、負荷分配リング３２０は、シャツの後部上の種々のバンドと同一の材料の片から作製されることができる。負荷分配リング３２０はまた、種々の形状または形状の構成のうちのいずれかを成すことができ、円形に限定されない。例えば、負荷分配リング３２０は、２つの重複形状の構成であり得、そのそれぞれが八角形の形状を成すことができる。
【００３８】
図４は、本開示の一実施形態による、ショーツ４００の後部を図示し、図５は、本開示の一実施形態による、ショーツ４００の前部を図示し、図６は、本開示の一実施形態による、ショーツ４００の側面を図示する。ショーツ４００は、前額面骨盤落下（前部または後部から見たときに、一方の股関節が他方の股関節より低い）および大腿骨の内部回転（上から見たときに、反時計回りに回転する右大腿骨を伴って、または伴わずに、骨盤が右股関節の上方で時計回りに回転する）に対抗するように構成され、その両方とも、膝の不必要な荷重につながり得る。先行技術のいくつかのシステムおよび方法は、順方向および逆方向での胴部の屈曲（矢状面における回転）に対抗するためにショーツまたはパンツを使用するが、本開示は、前額面骨盤落下（前額面における回転）および大腿骨の内部回転（横断面における股関節の内方回転）にも対抗することによって、さらに一歩先を行く。
【００３９】
ショーツ４００は、それぞれ異なる弾性を有する３つの異なる種類の材料を含む。基層４１０は、４方向伸張材料であり得る。ショーツ４００が複層状であるように、２つの他の弾性のバンドが、この基層４１０に付着することができる。連続弾性バンド４０２は、基層材料４１０より強力な伸張回復を伴う高弾性材料から作製されることができる一方で、連続非伸張バンド４０４は、非伸張材料から作製されることができる。
【００４０】
連続非伸張バンド４０４は、下背部の直下の仙骨から始まり、足の正中線をちょうど越えて脚の前部まで、わずかならせん形で股関節の側面を下って横断することができる。連続非伸張バンド４０４の角度は、いくぶん下向きであるか、またはショーツの底部に向かって角度を成す。この角度および連続非伸張バンド４０４の弾性の欠如は、ユーザが腰で前傾しなければならないという任意の傾向に対抗する。
【００４１】
股関節の後ろで非伸張バンド４０４に添着される連続弾性バンド４０２は、股関節の直上で腰に巻き付き、負荷分配リング４１４においてショーツの前部上でそれ自体と交差または重複することができる。連続弾性バンド４０２は、基層材料４１０および非伸張バンド４０４より強力な伸張回復を伴う高弾性材料である。連続弾性バンド４０２はまた、恥骨から斜めに負荷分配リング４１４から延在し、股関節の側面を下って続き、連続非伸張バンド４０４を横断し、ショーツの底部側および後底部に横方向に接続する。
【００４２】
連続弾性バンド４０２および連続非伸張バンド４０４は、両方ともショーツ４００の底部側に接続する。ごく接近し、実質的に異なる弾性を有するこれら２つの材料は、矢印４２０によって示されるような内方回転を有する各股関節のための回転力を横断面内で生成する。換言すると、これらの２つの材料は、（横断面内で）右股関節を時計回りに回転させ、左股関節を反時計回りに回転させる力を生成し、したがって、内向きに回転する股関節の任意の傾向に対抗する。股関節の側面上の連続弾性バンド４０２および連続非伸張バンド４０４の近接性もまた、任意の前額面骨盤落下に対抗するように作用する。換言すると、股関節の側面上のバンド４０２、４０４の配列は、股関節が（前額面において）水平なままであることを確実にするのに役立つ。
【００４３】
負荷分配リング４１４は、連続弾性バンド４０２のスチフネスを増加させるように、連続弾性バンド４０２の２つの部分の交差点または重複点に配列されることができる。連続弾性バンド４０２が脚および股関節運動中に伸張されると、負荷分配リング４１４は、張力を股関節の側面上の非伸張バンド４０４に分配するように、圧力を下腹部の軟組織に印加している連続弾性バンド４０２を支援することができる。効果は、支持を動的な股関節および骨盤回転に提供することである。
【００４４】
負荷分配リング４１４は、２次元で非対称である五角形として図示されている。しかしながら、負荷分配リング４１４はまた、対称であり得るか、または円、卵形、正方形、六角形、長方形、平行四辺形、三角形、四辺形、菱形、台形、および多くの形状等の他の形状を成すことができる。
【００４５】
連続弾性バンド４０２は、ショーツ４００の両側の連続非弾性バンド４０４の上部を横断する。しかしながら、一実施形態では、２つのバンド４０２、４０４は、重複しないが、むしろ絡み合わせられるように交差することができる。連続非弾性バンド４０４を覆って連続弾性バンド４０２を横断させることによって、非弾性バンド４０４は、骨格または支持体の役割を果たし、弾性バンド４０２は、拡張されたときにそこから張力を生成することができる。同一の骨格または支持効果はまた、負荷分配リング４１４によっても提供される。連続弾性バンド４０２が負荷分配リング４１４から延在する一方で、負荷分配リング４１４を有しない場合、連続弾性バンド４０２は、異なる参照点から、または分散した一式の参照点から拡張し、したがって、全く異なる力および張力を連続弾性バンド４０２によって生成させる。
【００４６】
ショーツは、腰バンド、紐、または腰における他のメカニズムを介して、およびショーツの内側の各脚の底部に円周方向に配列された滑り止め弾性脚バンドによって、それらの垂直位置を維持することができる。滑り止め弾性脚バンドは、ショーツの各脚の内側の円周全体に巻き付くことができるか、または円周の一部分のみに巻き付くことができる。一実施形態では、滑り止め弾性脚バンドは、２つの部分を有することができ、それぞれ、各脚の内周の実質的に４分の１に巻き付き、脚の内側および外側に隣接して位置決めされる。ショーツ４００は、膝蓋骨（膝頭）の約２〜４インチ上方で終端をなすことができる。
【００４７】
一実施形態では、連続弾性バンド４０２の張力は、調整可能である。負荷分配リング４１４に対して連続弾性バンド４０２を短縮または延長するために、例えば、ＶＥＬＣＲＯストラップ、Ｄリングコネクタ、または何らかの他の調整手段を使用することができる。換言すると、ベルトが短縮または延長させられるのと同程度に、連続弾性バンド４０２の張力を増加または減少させるように、連続弾性バンド４０２の異なる部分を負荷分配リング４１４に接続することができる。この調整実施形態は、ショーツ４００が様々なユーザの大きさ（例えば、異なる太腿の周囲の長さ、または上脚円周）に適応することを可能にする。調整はまた、ショーツ４００によって中臀筋に提供される支持のレベルのカスタマイズ、ならびに、臀部成形の量の制御を可能にする。
【００４８】
連続弾性バンド４０２の一部分は、連続弾性バンド４０２の他の部分より狭くあり得る。例えば、図示されるように、連続非伸張バンド４０４を横断する連続弾性バンド４０２の一部分は、連続弾性バンド４０２がショーツ４００の底部まで延在するにつれて再び広がる前に、連続非伸張バンド４０４の下後縁付近の点までテーパ状になる。
【００４９】
代替実施形態では、複層衣類を形成するように、弾性および非弾性バンド（または、パネル）を４方向伸張材料上に取り付けるよりもむしろ、バンドは、単層衣類を形成するように、４方向伸張材料のパネルに取り付けられることができる。
【００５０】
ショーツ４００は、外部多方向支持および可変張力を身体に提供し、中臀筋の機能を再現することができる。骨盤と大腿骨との間の異常な解剖学的関係は、衰弱した支持されていない中臀筋の主な結果である。この体幹の不安定性は、脊椎、股関節、膝、および足首における運動能力の減少および臨床症状を引き起こす。ショーツ４００は、体にぴったり合い、種々の弾性のバンド（またはパネル）を含み、骨格整合を維持すること、脊椎および脚の動的代償または異常運動を低減させること、臨床症状を減少させること、または予防すること、運動能力を増進すること、および臀部成形を助長することにおいて、中臀筋の機能を支援する張力を着用者の生体構造に印加するように構成されることができる。
【００５１】
図７は、本開示の一実施形態による、ショーツ７００の側面図を図示する。ショーツ７００は、連続弾性バンド７０２と、連続非弾性バンド７０４とを含む。これらのバンドは、４方向伸張材料７１０に接続されるか、またはそれを覆って取り付けられることができる。連続弾性バンド７０２は、股関節の側面の中間部分付近で連続非伸張バンド７０４の一部分に重複することができる。連続非伸張バンド７０４の縁に沿った縫い目７１２（または１つの材料を別の材料に添着する任意の他の手段）もまた、連続非伸張バンド７０４の一部分に対して連続弾性バンド７０２の少なくとも一部分を定位置で保持するように、連続弾性バンド７０２を通して縫製されることができる。
【００５２】
図８Ａは、本開示の一実施形態による、図８Ｂで図示されるようなショーツに接続可能であるシャツの背面図を図示する。図示したシャツおよびショーツは、接続メカニズム８００および８０１を介して接続されることができる。接続メカニズム８００は、腰回り付近のパネル１２４の底部でシャツの裏面に位置することができる。接続メカニズム８００は、ショーツの非伸張パネル８０４上に位置する接続メカニズム８０１を介して、ショーツに付着することができる。接続メカニズム８００、８０１は、スナップ、ＶＥＬＣＲＯ、Ｄリングコネクタ、またはシャツをショーツ上に固着する任意の他のメカニズムまたは材料であり得る。シャツおよびショーツの後部に位置するものとして図示されているが、接続メカニズムは、シャツおよびショーツの側面および前部を含む種々の他の位置に位置することができる。いくつかの実施形態では、接続メカニズム８００、８０１は、シャツおよびショーツの側面、前部、および後部のうちの２つ以上の上に位置することができる。２つの接続メカニズム８００および２つの接続メカニズム８０１が図示されているが、図示した数より多いまたは少ない接続メカニズム８００、８０１でもあり得る。例えば、シャツおよびショーツのそれぞれは、前部、側面、および後部上に接続メカニズムを有することができる。
【００５３】
図９は、本開示の一実施形態による、ショーツの正面図を図示する。一実施形態では、ショーツ９００は、前額面骨盤落下および大腿骨の内部回転に対抗するように構成される。ショーツ９００は、第１の弾性を有する基層９０１を備えることができる。種々の要素の位置を示す目的で、基層９０１を左脚部分９０２および右脚部分９０４に分割することができる。複数の弾性バンド（例えば、９０６、９０８、９１０）は、基層９０１に、またはその上に連結されて、第２の層を形成することができ、多くの場合、第１の材料と同一または類似の弾性を有する第２の材料から作製されることができる。場合によっては、第２の材料は、第１の材料または基層９０１と同一であり得る。
【００５４】
ショーツ９００はさらに、前腰部分に近接するショーツ９００の前部で基層９０１の上に連結される負荷分配リング９１２を含んでもよい。換言すると、負荷分配リング９１２は、腰部分９１４に隣接するか、または重複することができる。負荷分配リング９１２は、複数の弾性バンド９０６、９０８、９１０のうちの２つ以上の端部に連結されることができる。例えば、図示されるように、負荷分配リング９１２は、弾性バンド９０６の端部、弾性バンド９０８の端部、および弾性バンド９１０の端部に連結される。負荷分配リング９１２は、典型的には、基層９０１または第２の材料のいずれか一方よりも小さい弾性を有する第３の材料から作製されることができる。第３の材料は、非弾性材料または非伸張材料であり得る。
【００５５】
非弾性バンド９１６は、基層９０１の上に、および複数の弾性バンド９０６、９０８、９１０のうちの少なくともいくつかの複数部分の上に連結されることができる。例えば、図１０および図１１で図示されるように、非弾性バンド９１６は、腰部分９１４に近接してショーツ９００の後部で弾性バンド９０６の少なくとも一部分の上に連結される。この重複部分は、ショーツ９００の左側から右側へ伸張することができる。具体的には、非弾性バンド９１６は、ショーツを着用しているユーザの仙骨と下背部との間に配列されるように構成された、ショーツ９００上の点に近接して弾性バンド９０６の少なくとも一部分に重複する。非弾性バンド９１６は、ショーツ９００の後部およびおそらく側面で腰領域９１４と平行な上縁を有するよう成形されることができる一方で、下縁は、後部で凹形状を有する。ショーツ９００の側面に沿って、および前部に向かって、非弾性バンド９１６は、弾性バンド９０６、９０８、９１０と類似する幅を有する細片までテーパする。
【００５６】
非弾性バンド９１６はさらに、複数の弾性バンド９０６、９０８、９１０のうちの２つ以上、例えば、図示されるように弾性バンド９０８および９１０に連結することができる。非弾性バンド９１６はさらに、ショーツ９００の前部で底部分または各脚部分に交差することができる。非弾性バンド９１６はさらに、図９および図１１で見られるように、左脚部分および右脚部分９２０、９１８のそれぞれの前部まで、わずかならせん形でショーツ９００の各側面を下って横断してもよい。
【００５７】
場合によっては、非弾性バンド９１６は、骨盤が腰で前傾することを異常に可能にするユーザの傾向に対抗する。別の言い方をすると、非弾性バンド９１６は、ショーツ９００のための構造または骨格を提供する。具体的には、非弾性バンド９１６は、ショーツ９００の弾性部分が伸張されるときに伸張しないショーツ９００の領域を提供する。
【００５８】
弾性バンド９０６は、腰部分９１４に近接してショーツ９０６に巻き付くため、側方弾性バンド９０６と称され得る。側方弾性バンド９０６は、不連続的であり、それぞれ負荷分配リング９１２の一部分に連結される２つの端部を有することができる。負荷分配リング９１２が２つ以上の縁を有する図示した実施形態では、側方弾性バンド９０６の端部を、負荷分配リング９１２の側面のうちの２つに連結することができる。いくつかの実施形態では、負荷分配リング９１２は、非弾性バンド９１６と同一の材料から作製され、非弾性バンド９１６と同一の弾性を有する。他の実施形態では、負荷分配リング９１２が、第１の材料から作製され、第１の弾性を有する一方で、非弾性バンド９１６は、第２の材料から作製され、第２の弾性を有するか、または第１の材料から作製されるが、第２の弾性を有する。
【００５９】
弾性バンド９０８は、斜方向に配列され、右脚部分９０２上で負荷分配リング９１２から右脚部分９０２の下縁に向かって、ある角度で下方に延在することができるため、第１の斜方向弾性バンドと称され得る。同様に、弾性バンド９１０は、斜方向に配列され、左脚部分９０４上で負荷分配リング９１２から左脚部分９０２の下縁に向かって、ある角度で下方に延在することができるため、第２の斜方向弾性バンドと称され得る。
【００６０】
いくつかの実施形態では、随意的な第２の非弾性バンド９２０および随意的な第３の非弾性バンド９１８を、それぞれ、非弾性バンド９１６とショーツ９００の底部分との間に連結することができる。ショーツ９００の底部分は、ショーツ９００の底縁、または底縁に近接する位置を含むことができる。換言すると、底縁部分への連結は、底縁への連結、ならびに底縁の上方にある点または領域への連結を含むことができる。随意的な第２の非弾性バンド９２０は、左脚部分９０４上に配列されることができ、随意的な第３の非弾性バンド９１８は、右脚部分９０２上に配列されることができる。一実施形態では、随意的な第２の非弾性バンド９２０は、弾性バンド９１０と平行であり、随意的な第３の非弾性バンド９１８は、弾性バンド９０８と平行である。この平行な実施形態は、図１１で最も良く見られる。
【００６１】
本開示の目的で、「に連結される」、「に固着される」、および「の上に配列される」は、１つの構成要素を別の構成要素に固定する任意のプロセスを含むことができる。例えば、２つの構成要素をともに縫合または縫製することは、２つの構成要素をともに固定する１つの手段である。
【００６２】
負荷分配リング９１２は、いくつか例を挙げると、円盤、卵形、（図示されるような）五角形、または複数の縁を有する任意の他の形状等の種々の形状を帯びることができる。典型的な形状は、実質的に放射対称を有する（例えば、円、正三角形、正方形）。一実施形態では、負荷分配リング９１２は、腰部分９１４に近接して配列されることができ、これは、腰部分９１４に近接して、または腰部分９１４に重複して、負荷分配リング９１２を配列することができることを意味する。
【００６３】
基層９０１は、第１の材料から作製され、弾性があると説明され得る第１の弾性を有することができる。この第１の材料は、以前の図で説明された４方向伸張材料と類似または同一であり得る。弾性バンド９０６、９０８、９１０は、同様に弾性があると説明され得る第２の弾性を有する第２の材料から作製されることができる。場合によっては、第１の材料および第２の材料は、同一であり、したがって、基層９０１および弾性バンド９０６、９０８、９１０は、同一の弾性を有することができる。しかしながら、基層９０１の上の弾性バンド９０６、９０８、９１０の追加は、弾性バンドによって覆われることも、弾性バンドに連結されることもない基層９０１の領域とは異なる有効弾性を有する領域を作成することができる。
【００６４】
非弾性バンド９１６、９１８、９２０は、弾性がないと説明され得る第３の弾性を有する第３の材料から作製されることができる。第３の材料は、以前の図で議論された非伸張材料と類似または同一であり得る。第３の弾性は、典型的には、第１の弾性および第２の弾性よりも弾性がない。例えば、第３の材料は、実施形態では、張力がユーザの身体を介して第３の材料に加えられたときに、実質的に伸張しない。
【００６５】
いくつかの実施形態では、ショーツ９００は、１つ以上の基層区画から作製されることができる。図示されるように、左脚部分９０２および右脚部分９０４という２つの区画が使用される。しかしながら、他の実施形態では、ショーツ９００全体を作製するために、単一の部分を使用することができる。他の実施形態では、ショーツ９００を形成するように、複数のパネルまたは領域を（例えば、縫製を介して）連結することができる。
【００６６】
バンドは、直線状または曲線状であり得る。それらは、平行縁（例えば、バンドの範囲に沿った同一の幅）を有することができるか、または複数部分においてテーパ状であり得る（例えば、図１１参照）。
【００６７】
図１２は、本開示の一実施形態による、シャツ１２００の前部を図示し、図１３は、本開示の一実施形態による、シャツ１２００の後部を図示する。シャツ１２００は、ユーザによって着用されたときに不利な上半身の動きに対抗するように構成されることができる。シャツは、基層１２０２と、基層１２０２の上に連結された複数の非弾性バンドとを含むことができる。例えば、図示したシャツ１２００の後部は、基層１２０２の上に連結された、第１の非弾性バンド、第２の非弾性バンド、第３の非弾性バンド、および第４の非弾性バンド１２１６、１２１２、１２１８、１２１４を含む。図示したシャツ１２００はさらに、シャツ１２００の後部に連結された第５の非弾性バンドおよび第６の非弾性バンド１２２２、１２２０を含む。
【００６８】
シャツ１２００はさらに、シャツ１２００の後部の中央の上に連結された負荷分配リング１２２４を含む。負荷分配リング１２２４は、複数の非弾性バンドのうちの少なくともいくつかの端部を留める。例えば、図示されるように、負荷分配リング１２２４は、第１の非弾性バンド、第２の非弾性バンド、第３の非弾性バンド、および第４の非弾性バンド１２１６、１２１２、１２１８、１２１４の端部を留める。シャツ１２００の前部は、第７の非弾性バンド、第８の非弾性バンド、第９の非弾性バンド、および第１０の非弾性バンド１２０４、１２０８、１２０６、１２１０を含む。
【００６９】
シャツ１２００は、右肩領域１２２８および左肩領域１２３０等の肩領域を含むことができる。肩領域１２２８、１２３０は、非弾性バンドを欠くことができる。さらに、第１の非弾性バンド１２１６は、右肩領域１２２８を負荷分配リング１２２４に連結することができ、第２の非弾性バンド１２１２は、左肩領域１２３０を負荷分配リング１２２４に連結することができる。第１の非弾性バンドおよび第２の非弾性バンド１２１６、１２１２は、負荷分配リング１２２４から、それらのそれぞれの肩領域１２２８、１２３０に向かって、外向きに延在する角度で配列されることができる。
【００７０】
第３の非弾性バンドおよび第４の非弾性バンド１２１８、１２１４は、負荷分配リング１２２４からシャツ１２００の後部の底領域に向かって、外向きに延在する角度で配列されることができる。底領域は、底縁１２３２、または底縁１２３２に近接する任意の点を含むことができる。図示されるように、第３の非弾性バンドおよび第４の非弾性バンド１２１８、１２１４は、縁１２３２まで延在することができる。
【００７１】
シャツ１２００はさらに、首または首領域１２２６を含むことができる。第５の非弾性バンド１２２２は、首領域１２２６を第１の非弾性バンド１２１６に連結することができ、第６の非弾性バンド１２２０は、首領域１２２６を第２の非弾性バンド１２１２に連結することができる。第５の非弾性バンドおよび第６の非弾性バンド１２２２、１２２０は、首領域１２２６から第１の非弾性バンドおよび第２の非弾性バンド１２１６、１２１２に向かって、下方および外向きに延在することができる。第４の非弾性バンドおよび第５の非弾性バンド１２２２、１２２０は、首領域１２２６に連結することができるか、または首領域１２２６に近接する点に連結することができ、それは、それらが首領域１２２６に接触するように要求されないことを意味する。
【００７２】
負荷分配リング１２２４は、（図示されるような）円盤、卵形、五角形、または複数の縁を有する任意の他の形状等の種々の形状を帯びることができる。典型的な形状は、実質的に放射対称を有する（例えば、円、正三角形、正方形）。負荷分配リング１２２４は、実質的にシャツ１２００の後部の中央に配列され、それは、シャツ１２００の右後部分と左後部分とを分離する垂直軸に沿って、負荷分配リング１２２４を配置できることを意味する。実質的に中央とは、負荷分配リング１２２４がシャツ１２００の首１２２６および底縁１２３２から等距離にあることを意味し得る。しかしながら、他の実施形態では、負荷分配リング１２２４は、首１２２６のより近くに、または底縁１２３２のより近くに、いくぶん偏移させられ得る。
【００７３】
第７の非弾性バンド１２０４は、一方の端部で右肩領域１２２８に、またはその近位に連結する。第７の非弾性バンド１２０４の他方の端部は、首領域１２２６と右脇との間の領域に連結する。第８の非弾性バンド１２０８は、ある角度で首領域１２０８を第７の非弾性バンド１２０４に連結する。例えば、図示されるように、第７の非弾性バンドおよび第８の非弾性バンド１２０４、１２０８の間の角度は、実質的に直角であり得るが、他の角度も可能である。図示されるように、第８の非弾性バンド１２０８の端部は、第７の非弾性バンド１２０４の側面に連結する。しかしながら、他の実施形態では、第７のバンド１２０４の端部が、第８の非弾性バンド１２０８の側面に連結することができる。代替として、両方のバンドは、絵画用額縁の縁が一体をなすように、角度を成す端部が相互に連結するような、角度を成す端部を有することができる。
【００７４】
全ての非弾性バンドおよび負荷分配リング１２２４は、基層１２０２に固着されるか、または基層１２０２の上に連結され、したがって、シャツ１２００の単一の層、または代替として第２の層を形成する。各非弾性バンドは、平行縁を有することができ、また図示されるように、バンドの一方の端部の幅が他方の端部の幅よりも大きいテーパ状縁を有することができる。
【００７５】
さらなる実施形態では、負荷分配リング９１２に連結するか、または負荷分配リング９１２によって留められる１つ以上のバンドのうちのいずれかを短縮または延長するために、ＶＥＬＣＲＯストラップ、Ｄリングコネクタ、または何らかの他の調整手段を使用することができる。換言すると、ベルトが短縮または延長させられるのと同程度に、非弾性バンド９１６の張力を増加または減少させるように、非弾性バンド９１６の異なる部分を負荷分配リング９１２に接続することができる。そのような実施形態は、ショーツ９００が様々なユーザの大きさ（例えば、異なる太腿の周囲の長さ、または上脚円周）に適応することを可能にする。バンドのうちのいずれか１つ以上の調整可能性はまた、ショーツ９００によって中臀筋に提供される支持のレベルのカスタマイズ、ならびに股関節の外転および伸展、および骨盤の後傾の制御を可能にする。
【００７６】
さらなる実施形態では、本明細書で説明される種々のショーツおよびシャツは、ワンピース衣服と称されるものに組み合わせられることができる。ショーツおよびシャツの組み合わせは、図８Ａの接続メカニズム８００および図８Ｂの接続メカニズム８０１等の接続メカニズムを介して可能にすることができる。他の実施形態では、ショーツおよびシャツは、基層の上に連結された種々の非弾性バンドおよび弾性バンドを有する単一の基層から製造されることができる。代替として、ショーツおよびシャツは、別々に製造され、次いで、ショーツの腰部分９１４およびシャツ１２００の底部分においてともに縫合されることができる。
【００７７】
本開示の全体を通して、連続バンドが参照されている。いくつかの実施形態では、これらのバンドは、連続的である必要はない。例えば、連続弾性バンド４０２は、負荷分配リング４１４で全て交わる３つの異なるバンドを備えることができる。３つの別個のバンドは、負荷分配リング４１４の下に接続されることができるか、または単に負荷分配リング４１４に接続し、その他相互から分離されることができる。さらなる実施形態では、負荷分配リング４１４に連結するか、または負荷分配リング４１４によって留められる１つ以上のバンドのうちのいずれかを短縮または延長するために、ＶＥＬＣＲＯストラップ、Ｄリングコネクタ、または何らかの他の調整手段を使用することができる。換言すると、ベルトが短縮または延長させられるのと同程度に、連続弾性バンド４０２の張力を増加または減少させるように、連続弾性バンド４０２の異なる部分を負荷分配リング４１４に接続することができる。そのような実施形態は、ショーツ４００が様々なユーザの大きさ（例えば、異なる太腿の周囲の長さ、または上脚円周）に適応することを可能にする。３つのストラップの調整可能性はまた、ショーツ４００によって中臀筋に提供される支持のレベルのカスタマイズ、ならびに股関節の外転および伸展、および骨盤の後傾の制御を可能にする。
【００７８】
終わりに、本発明は、とりわけ、衰弱または疲労した中臀筋を再現または補う衣類のための方法、システム、および装置を提供する。当業者であれば、本明細書で説明される実施形態によって達成されるのと実質的に同一の結果を達成するように、多数の変更および置換が、本発明、その用途、およびその構成に行われてもよいことを容易に理解することができる。したがって、本発明は、本明細書で示される実施形態に限定されることを目的としていないが、本明細書で開示される原理および新規の特徴と一致する最も広い範囲を与えられることを目的としている。
【図１Ａ】
2015506420.tif 000004
【図１Ｂ】
2015506420.tif 000005
【図２】
2015506420.tif 000006
【図３Ａ】
2015506420.tif 000007
【図３Ｂ】
2015506420.tif 000008
【図４】
2015506420.tif 000009
【図５】
2015506420.tif 000010
【図６】
2015506420.tif 000011
【図７】
2015506420.tif 000012
【図８Ａ】
2015506420.tif 000013
【図８Ｂ】
2015506420.tif 000014
【図９】
2015506420.tif 000015
【図１０】
2015506420.tif 000016
【図１１】
2015506420.tif 000017
【図１２】
2015506420.tif 000018
【図１３】
2015506420.tif 000019
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
前額面骨盤落下および大腿骨の内部回転に対抗するように構成された衣服であって、前記衣服は、
右脚部分および左脚部分を有する基層であって、前記基層は、第１の弾性を有する、基層と、
前記衣服の前腰部分に近接して配列され、前記第１の弾性よりも小さい第２の弾性を有する負荷分配リングと、
前記衣服の上部と実質的に平行な方向で前記負荷分配リングから前記衣服の後部に向かって戻るように延在し、前記基層を覆って固着された第１の側方弾性バンドであって、前記第１の側方弾性バンドは、第３の弾性を有し、前記第１の側方弾性バンドは、第１の側縁を有する、第１の側方弾性バンドと、
前記衣服の上部と実質的に平行な方向で前記負荷分配リングから前記衣服の後部に向かって戻るように延在し、前記基層を覆って固着された第２の側方弾性バンドであって、前記第２の側方弾性バンドは、前記第３の弾性を有し、前記第２の側方弾性バンドは、第２の側縁を有する、第２の側方弾性バンドと、
前記右脚部分上で前記負荷分配リングに連結され、前記負荷分配リングから離れてある角度で下方に延在している第１の斜方向弾性バンドと、
前記左脚部分上で前記負荷分配リングに連結され、前記負荷分配リングから離れてある角度で下方に延在している第２の斜方向弾性バンドと、
少なくとも前記衣服の後方部分に位置決めされるように設計された第１の非弾性バンドであって、前記第１の非弾性バンドは、反対の第１および第２の縁を有し、前記第１の側方弾性バンドの第１の側縁と前記第２の側方弾性バンドの第２の側縁との間で前記衣服の後部を介して延在し、凹形状の下縁を有し、前記第１の非弾性バンドは、中臀筋によって他の方法で生成された力を再現し、前記衣服の前部に近接して前記脚部分のそれぞれの底部分と交差し、前記第１の非弾性バンドは、前記第２の弾性を有する、第１の非弾性バンドと
を備え、
前記第１の非弾性バンドは、前記右脚部分上で前記衣服の後方部分から前記衣服の前部半分まで延在するように設計された、前記第１の斜方向弾性バンドと交差する第１の延在部分をさらに含み、
前記第１の非弾性バンドは、前記左脚部分上で前記衣服の後方部分から前記衣服の前部半分まで延在するように設計された、前記第２の斜方向弾性バンドと交差する第２の延在部分をさらに含む、衣服。
【請求項２】
前記第１の非弾性バンドと前記左脚部分の底部分との間に連結された第２の非弾性バンドと、
前記第１の非弾性バンドと前記右脚部分の底部分との間に連結された第３の非弾性バンドと
をさらに備える、請求項１に記載の衣服。
【請求項３】
前記第２の非弾性バンドは、前記第２の斜方向弾性バンドと平行であり、前記第３の非弾性バンドは、前記第３の斜方向弾性バンドと平行である、請求項２に記載の衣服。
【請求項４】
前記第１の弾性および前記第３の弾性は、同一である、請求項１に記載の衣服。
【請求項５】
前記第１の弾性は、前記第３の弾性よりも小さい、請求項１に記載の衣服。
【請求項６】
前記第１の非弾性バンドは、前記衣服を着用しているユーザの仙骨と下背部との間に配列されるように構成された、前記衣服上の点を通過する、請求項１に記載の衣服。
【請求項７】
前記第１の非弾性バンドは、前記左脚部分および前記右脚部分のそれぞれの前部まで、わずかならせん形で前記衣服の各側面を下って横断する、請求項６に記載の衣服。
【請求項８】
前記第１の非弾性バンドの形状および配置は、腰で前傾するユーザの傾向に対抗する、請求項１に記載の衣服。
【請求項９】
前記負荷分配リングは、五角形である、請求項１に記載の衣服。
【請求項１０】
前記負荷分配リングは、円盤形状を有する、請求項１に記載の衣服。
【請求項１１】
各脚部分の前記底部分は、各脚部分の底縁である、請求項１に記載の衣服。
【請求項１２】
前記基層は、第１の４方向伸張織物であり、
前記負荷分配リングおよび前記第１の非弾性バンドは、非伸張材料であり、
前記側方弾性バンド、前記第１の斜方向弾性バンド、および前記第２の斜方向弾性バンドは、第２の４方向伸張織物である、
請求項１に記載の衣服。
【請求項１３】
前記第１の４方向伸張織物および前記第２の４方向伸張織物は、同一である、請求項１２に記載の衣服。
【請求項１４】
前額面骨盤落下および大腿骨の内部回転に対抗するように構成された衣服であって、前記衣服は、
右脚部分および左脚部分を有する基層であって、前記基層は、第１の弾性を有する、基層と、
前記衣服の前腰部分に近接して配列され、前記第１の弾性よりも小さい第２の弾性を有する負荷分配リングと、
前記右脚部分上で前記負荷分配リングに連結され、前記負荷分配リングから離れてある角度で下方に延在している第１の斜方向弾性バンドと、
前記左脚部分上で前記負荷分配リングに連結され、前記負荷分配リングから離れてある角度で下方に延在している第２の斜方向弾性バンドと、
前記衣服の全体に巻き付き、前記衣服の第１の上縁を形成する腰部分であって、前記腰部分は、前記衣服の上縁から前記負荷分配リングを分離する、腰部分と、
前記衣服の後部に向かって延在し、前記腰部分に接近して第２の上縁を有する第１の側方弾性バンドであって、前記第１の側方弾性バンドは、第１の側縁を有する、第１の側方弾性バンドと、
前記衣服の後部に向かって延在し、前記腰部分に接近して第３の上縁を有する第２の側方弾性バンドであって、前記第２の側方弾性バンドは、第２の側縁を有する、第２の側方弾性バンドと、
少なくとも前記衣服の後方部分に位置決めされるように設計された第１の非弾性バンドであって、前記第１の非弾性バンドは、反対の第１および第２の縁を有し、前記第１の側方弾性バンドの第１の側縁と前記第２の側方弾性バンドの第２の側縁との間で前記衣服の後部を介して延在し、凹形状の下縁と少なくとも前記衣服の一部分および側面を横切る直線状上縁とを有し、前記第１の非弾性バンドは、前記衣服の前部に近接して前記脚部分のそれぞれの底部分と交差し、前記第１の非弾性バンドは、前記第２の弾性を有する、第１の非弾性バンドと
を備え、
前記第１の非弾性バンドは、前記右脚部分上で前記衣服の後部から前記衣服の前部半分まで延在し、前記第１の斜方向弾性バンドと交差するように設計された第１の延在部分をさらに含み、
前記第１の非弾性バンドは、前記左脚部分上で前記衣服の後部から前記衣服の前部半分まで延在し、前記第２の斜方向弾性バンドと交差するように設計された第２の延在部分をさらに含む、衣服。
【請求項１５】
前額面骨盤落下および大腿骨の内部回転に対抗するように構成された衣服であって、前記衣服は、
右脚部分および左脚部分を有する基層であって、前記基層は、第１の弾性を有する、基層と、
前記衣服の前腰部分に近接して配列され、前記第１の弾性よりも小さい第２の弾性を有する負荷分配リングと、
前記右脚部分上で前記負荷分配リングに連結され、前記負荷分配リングから離れてある角度で下方に延在している第１の斜方向弾性バンドと、
前記左脚部分上で前記負荷分配リングに連結され、前記負荷分配リングから離れてある角度で下方に延在している第２の斜方向弾性バンドと、
前記負荷分配リングから後向きで前記衣服の右側の周りに延在している第１の側方弾性バンドであって、前記第１の側方弾性バンドは、第１の側縁を有する、第１の側方弾性バンドと、
前記負荷分配リングから後向きで前記衣服の左側の周りに延在している第２の側方弾性バンドであって、前記第２の側方弾性バンドは、第２の側縁を有する、第２の側方弾性バンドと、
少なくとも前記衣服の後方部分に位置決めされるように設計された第１の非弾性バンドであって、前記第１の非弾性バンドは、反対の第１および第２の縁を有し、前記第１の側方弾性バンドの第１の側縁と前記第２の側方弾性バンドの第２の側縁との間で前記衣服の後部を介して延在し、凹形状の下縁と、前記衣服の後部および側面の少なくとも一部分での前記衣服の上縁と平行な上縁とを有し、前記第１の非弾性バンドは、前記衣服の前部に近接して前記脚部分のそれぞれの底部分と交差するために、前記脚部分のそれぞれの周りにらせん形になるようにテーパ状になり、前記第１の非弾性バンドは、前記第２の弾性を有する、第１の非弾性バンドと
を備え、
前記第１の非弾性バンドは、前記右脚部分上で前記衣服の後部から前記衣服の前部半分まで延在し、前記第１の斜方向弾性バンドと交差するように設計された第１の延在部分をさらに含み、
前記第１の非弾性バンドは、前記左脚部分上で前記衣服の後部から前記衣服の前部半分まで延在し、前記第２の斜方向弾性バンドと交差するように設計された第２の延在部分をさらに含む、衣服。
【請求項１６】
前記第１の斜方向弾性バンドの後縁および前記第２の斜方向弾性バンドの後縁は、前記衣服の前部半分内で前記第１の非弾性バンドの底縁と交差する、請求項１に記載の衣服。
【請求項１７】
前記第１の斜方向弾性バンドの後縁および前記第２の斜方向弾性バンドの後縁は、ユーザのサイズまたは形状にもかかわらず、かつ、前記衣服がどのように着用されるかにもかかわらず、前記衣服が着用される場合に、前記ユーザの大転子の前方で前記第１の非弾性バンドと交差する、請求項１６に記載の衣服。
【請求項１８】
前記第１の斜方向弾性バンドの後縁および前記第２の斜方向弾性バンドの後縁は、前記衣服の前部半分内で前記第１の非弾性バンドと交差する、請求項１に記載の衣服。
【請求項１９】
前記第１の斜方向弾性バンドおよび前記第２の斜方向弾性バンドは、前記衣服が適切に着用される場合に、前記ユーザの大転子の前方で前記第１の非弾性バンドと交差し、前記ユーザは、適切なサイズを有する衣服を着用する、請求項１に記載の衣服。
【請求項２０】
前記第１の斜方向弾性バンドおよび前記第２の斜方向弾性バンドは、前記衣服の前部に接近して前記第１の非弾性バンドと交差する、請求項１に記載の衣服。
【請求項２１】
前記第１の側方弾性バンドおよび前記第２の側方弾性バンドは、上縁を有し、前記第１の側方弾性バンドの上縁と前記第２の側方弾性バンドの上縁との間の全スバンは、前記衣服の上縁と平行である、請求項１に記載の衣服。
【請求項２２】
前記第１の非弾性バンドは、部分的に中臀筋の筋線維に重複するが、前記中臀筋の筋線維と垂直でも平行でもない、請求項１に記載の衣服。
【請求項２３】
前記第１の側方弾性バンドの上縁および前記第２の側方弾性バンドの上縁、ならびに前記第１の非弾性バンドの上縁は、連続的な縁を形成し、前記連続的な縁は、前記衣服の上縁と平行であるが、前記衣服の上縁に接触しない、請求項１に記載の衣服。
【手続補正２】
【補正対象書類名】明細書
【補正対象項目名】００１９
【補正方法】変更
【補正の内容】
【００１９】
本開示のさらなる側面は、上半身部分と、下半身部分とを含むワンピース衣服として説明され得る。上半身部分は、第１の基層と、第１の基層の上に連結された複数の非弾性バンドと、上半身部分の背部の中央の上に連結された第１の負荷分配リングであって、複数の非弾性バンドのうちの第１のバンド、第２のバンド、第３のバンド、および第４のバンドの端部を留める第１の負荷分配リングとを含むことができる。負荷分配リングは、複数の非弾性バンドのうちの第１のバンド、第２のバンド、第３のバンド、および第４のバンドの端部を留めることができる。下半身部分は、第２の基層と、第２の負荷分配リングと、側方弾性バンドと、第１の斜方向弾性バンドと、第２の斜方向弾性バンドと、第１の非弾性バンドとを含むことができる。第２の基層は、右脚部分および左脚部分を有することができ、第２の基層は、第１の弾性を有することができる。第２の負荷分配リングは、下半身部分の前腰部分に近接して配列されることができ、第１の弾性よりも小さい第２の弾性を有することができる。側方弾性バンドは、下半身部分の腰部分に近接して下半身部分に巻き付くことができ、第２の基層を覆って固着されることができる。側方弾性バンドは、不連続的であり、２つの端部を有することができ、２つの端部は、第２の負荷分配リングに連結することができ、側方弾性バンドは、第３の弾性を有することができる。第１の斜方向弾性バンドは、右脚部分上で第２の負荷分配リングに連結し、第２の負荷分配リングから離れてある角度で下方に延在することができる。第２の斜方向弾性バンドは、左脚部分上で第２の負荷分配リングに連結し、第２の負荷分配リングから離れてある角度で下方に延在することができる。第１の非弾性バンドは、下半身部分の後腰部分に近接して側方弾性バンドの一部分に重複することができる。第１の非弾性バンドはさらに、下半身部分の前部に近接して脚部分のそれぞれの底部分と交差することができる。第１の非弾性バンドは、第２の弾性を有することができる。
本願明細書は、例えば、以下の項目も提供する。
（項目１）
前額面骨盤落下および大腿骨の内部回転に対抗するように構成された衣服であって、前記衣服は、
右脚部分および左脚部分を有する基層であって、前記基層は、第１の弾性を有する、基層と、
前記衣服の前腰部分に近接して配列され、前記第１の弾性よりも小さい第２の弾性を有する負荷分配リングと、
前記衣服の腰部分に近接して前記衣服に巻き付き、前記基層を覆って固着された側方弾性バンドであって、前記側方弾性バンドは、不連続的であり、２つの端部を有し、前記２つの端部は、前記負荷分配リングに連結され、前記側方弾性バンドは、第３の弾性を有する、側方弾性バンドと、
前記右脚部分上で前記負荷分配リングに連結され、前記負荷分配リングから離れてある角度で下方に延在している第１の斜方向弾性バンドと、
前記左脚部分上で前記負荷分配リングに連結され、前記負荷分配リングから離れてある角度で下方に延在している第２の斜方向弾性バンドと、
前記衣服の後腰部分に近接して前記側方弾性バンドの一部分に重複し、前記衣服の前部に近接して前記脚部分のそれぞれの底部分と交差する第１の非弾性バンドであって、前記第１の非弾性バンドは、前記第２の弾性を有する、第１の非弾性バンドと
を備える、衣服。
（項目２）
前記第１の非弾性バンドと前記左脚部分の底部分との間に連結された第２の非弾性バンドと、
前記第１の非弾性バンドと前記右脚部分の底部分との間に連結された第３の非弾性バンドと
をさらに備える、項目１に記載の衣服。
（項目３）
前記第２の非弾性バンドは、前記第２の斜方向弾性バンドと平行であり、前記第３の非弾性バンドは、前記第３の斜方向弾性バンドと平行である、項目２に記載の衣服。
（項目４）
前記第１の弾性および第３の弾性は、同一である、項目１に記載の衣服。
（項目５）
前記第１の弾性は、前記第３の弾性よりも小さい、項目１に記載の衣服。
（項目６）
前記第１の非弾性バンドは、前記衣服を着用しているユーザの仙骨と下背部との間に配列されるように構成された、前記衣服上の点に近接して前記側方弾性バンドに重複する、項目１に記載の衣服。
（項目７）
前記第１の非弾性バンドは、前記左脚部分および右脚部分のそれぞれの前部まで、わずかならせん形で前記衣服の各側面を下って横断する、項目５に記載の衣服。
（項目８）
前記第１の非弾性バンドの形状および配置は、腰で前傾するユーザの傾向に対抗する、項目１に記載の衣服。
（項目９）
前記負荷分配リングは、五角形である、項目１に記載の衣服。
（項目１０）
前記負荷分配リングは、円盤形状を有する、項目１に記載の衣服。
（項目１１）
各脚部分の前記底部分は、各脚部分の底縁である、項目１に記載の衣服。
（項目１２）
前記基層は、第１の４方向伸張織物であり、
前記負荷分配リングおよび前記第１の非弾性バンドは、非伸張材料であり、
前記側方弾性バンド、前記第１の斜方向弾性バンド、および前記第２の斜方向弾性バンドは、第２の４方向伸張織物である、
項目１に記載の衣服。
（項目１３）
前記第１の４方向伸張織物および第２の４方向伸張織物は、同一である、項目１２に記載の衣服。
（項目１４）
衣服を製造する方法であって、前記方法は、
第１の弾性を有する第１の材料から基層を形成することと、
前記基層の上に複数の弾性バンドを連結することであって、前記複数の弾性バンドは、第２の弾性を有する第２の材料から作製されている、ことと、
前記基層の上に負荷分配リングを連結することであって、前記負荷分配リングは、前記複数の弾性バンドのうちの２つ以上の端部に連結され、前記非弾性負荷分配リングは、前記第１の弾性または第２の弾性のいずれか一方よりも弾性がない第３の弾性を有する第３の材料から作製されている、ことと、
前記複数の弾性バンドのうちの少なくともいくつかの複数部分を覆って非弾性バンドを連結し、前記基層の複数部分を覆って前記非弾性バンドを連結することであって、前記非弾性バンドは、前記第３の材料から作製され、前記非弾性バンドは、前記第１の材料および第２の材料が伸張されるときに伸張しない前記衣服の領域を提供する、ことと
を含む、方法。
（項目１５）
前記第１の材料および第２の材料は、同一である、項目１４に記載の方法。
（項目１６）
不利な上半身の動きに対抗するように構成されたシャツであって、前記シャツは、
基層と、
前記基層の上に連結された複数の非弾性バンドと、
前記シャツの後部の中央の上に連結された負荷分配リングであって、前記負荷分配リングは、前記複数の非弾性バンドのうちの第１のバンド、第２のバンド、第３のバンド、および第４のバンドの端部を留める、負荷分配リングと
を備える、シャツ。
（項目１７）
前記複数の非弾性バンドのうちの前記第１のバンドは、前記負荷分配リングを前記シャツの右肩に連結し、前記基層の上に連結され、前記複数の非弾性バンドのうちの前記第２のバンドは、前記負荷分配リングを前記シャツの左肩に連結し、前記基層の上に連結されている、項目１６に記載のシャツ。
（項目１８）
前記複数の非弾性バンドのうちの第３のバンドは、前記負荷分配リングを前記シャツの後部の底部分に連結し、前記複数の非弾性バンドのうちの第４のバンドは、前記負荷分配リングを前記シャツの前記後部の前記底部分に連結する、項目１７に記載のシャツ。
（項目１９）
前記複数の非弾性バンドのうちの第５のバンドは、前記シャツの首を前記複数の非弾性バンドのうちの前記第１のバンドに連結し、前記複数の非弾性バンドのうちの第６のバンドは、前記シャツの前記首を前記複数の非弾性バンドのうちの前記第２のバンドに連結する、項目１８に記載のシャツ。
（項目２０）
前記複数の非弾性バンドのうちの第７のバンドは、前記複数の非弾性バンドのうちの前記第７のバンドの第１の端部を介して前記肩に連結し、前記複数の非弾性バンドのうちの前記第７のバンドの第２の端部を介して前記複数の非弾性バンドのうちの第８のバンドに連結する、項目１６に記載のシャツ。
（項目２１）
前記複数の非弾性バンドのうちの前記第７のバンドおよび第８のバンドは、ある角度で相互に連結する、項目２０に記載のシャツ。
（項目２２）
前記負荷分配リングは、円盤形状を有する、項目１６に記載のシャツ。
（項目２３）
シャツを製造する方法であって、前記方法は、
第１の弾性を有する基層を形成することと、
前記基層を覆って複数の非弾性バンドを固着することであって、前記複数の非弾性バンドは、前記第１の弾性よりも小さい第２の弾性を有する、ことと、
前記基層を覆って、負荷分配リングを前記複数の非弾性バンドのうちの少なくとも２つに固着することであって、前記負荷分配リングは、前記複数の非弾性バンドのうちの前記少なくとも２つを前記シャツの後部の実質的に中央に留め、前記負荷分配リングは、前記第２の弾性を有する、ことと
を含む、方法。
（項目２４）
ワンピース衣服であって、前記ワンピース衣服は、
上半身部分であって、前記上半身部分は、
第１の基層と、
前記第１の基層の上に連結された複数の非弾性バンドと、
前記上半身部分の背部の中央の上に連結された第１の負荷分配リングであって、前記第１の負荷分配リングは、前記複数の非弾性バンドのうちの第１のバンド、第２のバンド、第３のバンド、および第４のバンドの端部を留める、第１の負荷分配リングと
を備える、上半身部分と、
下半身部分であって、前記下半身部分は、
右脚部分および左脚部分を有する第２の基層であって、前記第２の基層は、第１の弾性を有する、第２の基層と、
前記下半身部分の前腰部分に近接して配列され、前記第１の弾性よりも小さい第２の弾性を有する第２の負荷分配リングと、
前記下半身部分の前記腰部分に近接して前記下半身部分に巻き付き、前記第２の基層を覆って固着された側方弾性バンドであって、前記側方弾性バンドは、不連続的であり、２つの端部を有し、前記２つの端部は、前記第２の負荷分配リングに連結され、前記側方弾性バンドは、第３の弾性を有する、側方弾性バンドと、
前記右脚部分上で前記第２の負荷分配リングに連結され、前記第２の負荷分配リングから離れてある角度で下方に延在している第１の斜方向弾性バンドと、
前記左脚部分上で前記第２の負荷分配リングに連結され、前記第２の負荷分配リングから離れてある角度で下方に延在している第２の斜方向弾性バンドと、
前記下半身部分の後腰部分に近接して前記側方弾性バンドの一部分に重複し、前記下半身部分の前部に近接して前記脚部分のそれぞれの底部分と交差する第１の非弾性バンドであって、前記第１の非弾性バンドは、前記第２の弾性を有する、第１の非弾性バンドと
を備える、下半身部分と
を備える、ワンピース衣服。
（項目２５）
前記第１の基層および第２の基層は、同一の材料である、項目２４に記載のワンピース衣服。
（項目２６）
前記上半身部分および前記下半身部分は、前記腰部分での縫製を介して連結されている、項目２４に記載のワンピース衣服。
（項目２７）
前記上半身部分および前記下半身部分は、同一の基層から形成されている、項目２４に記載のワンピース衣服。
（項目２８）
前記上半身部分は、第１の接続メカニズムを含み、前記下半身部分は、第２の接続メカニズムを含み、前記第１の接続メカニズムおよび第２の接続メカニズムは、相互に連結し、したがって、前記上半身部分を前記下半身部分に一時的に固着する、項目２４に記載のワンピース衣服。
【国際調査報告】
2015506420.tif 000020